(57)【要約】【課題】いか釣り漁業におけるいかの誘集作用の促進と釣針にかかったいかの脱落を防止するようにしたいか釣針によって漁獲効率を向上する。【解決手段】屈撓性と弾性の大きいコイルスプリング２の下半部に同様のコイルスプリング３を重合内装して下半部の屈撓性と弾性を小さく形成した軸部材４の上部外側に擬餌体４を、下部外側に釣針５を夫々装着し、しゃくり操作時に擬餌体４を躍動的に伸長揺動せしめていかの誘集作用の増進を図ると共に釣針にいかがかかった時の釣針の向きが横向きになって逃れ易くなるのを防止していかの逃逸を阻止するようにした。【選択図】        図１
2004357587.tif 000002
【特許請求の範囲】
【請求項１】
上半部を屈撓性及び弾性を大きく形成し下半部を上半部より屈撓性と弾性を小さく形成した軸部材の上部外側に疑餌体を装着すると共に下部に釣針を装着したことを特徴とするいか釣針。
【請求項２】
コイルスプリングの下半部にコイルスプリングを重合して軸部材を形成したことを特徴とする請求項１記載のいか釣針。
【請求項３】
上半部を屈撓性と弾性の大きいコイルスプリングで形成し、その下半部に屈撓性と弾性の小さいコイルスプリングを連結して軸部材を形成したことを特徴とするいか釣針。
【請求項４】
軸部材内にその長さより長い連結用吊糸を挿通して複数のいか釣針を釣糸に連結可能に形成したことを特徴とするいか釣針。
【発明の詳細な説明】
【０００１】
【発明の属する技術分野】
本発明はいか釣針の改良に関する。
【０００２】
【従来の技術】
従来のいか釣針は、軸杆の上部に合成樹脂、金属、動物の骨角等からなる擬餌体を下部に倒傘状の釣針を夫々設けた釣針を釣糸で海中に吊下し、釣糸のしゃくり操作によっていかを誘導し釣獲しているのが現状である。
【０００３】
【発明が解決しようとする課題】
しかしながら、あかいかのような大型のいかはしゃくり操作によってもなかなか釣針にかからず、、折角釣針にかかってもその直後に逃逸したり、その上釣糸を船上に捲上げている間特に案内ローラ部分において釣針から脱落することが屡々見られ、例えばあかいかの場合にはその量は４０％にも達するといわれている。逃逸又は脱落の原因としては、倒傘状の釣針には「かえし」がないことやいかが釣針に充分に引掛かっていないことに起因するものと考えられる。
【０００４】
そこで本発明は、先にいかを釣針にしっかりと喰付かせると共に案内ローラ部分においていか釣針がその周面に沿って湾曲するようにしていかの脱落を防止しその釣獲率を向上することを開発した（特願２００３−９９８２１号）が、本発明はこれを更に改善していかの誘集作用の一層の向上と、釣針にかかったいかの脱落防止作用の促進を図り釣獲能率を向上するようにしたいか釣針を提供することを目的とするもでのである。
【０００５】
【課題を解決するための手段】
本発明は前記目的を達成するために、上半部を屈撓性及び弾性を大きく形成し下半部を上半部より屈撓性と弾性を小さく形成した軸部材の上部外側に疑餌体を装着すると共に下部に釣針を装着したことを特徴とするものであり、前記軸部材の下半部の屈撓性と弾性を上半部のそれより小さく形成する手段としては、コイルスプリングの下半部に小径のコイルスプリングを内装重合するか又は大径のコイルスプリングを外装重合するかして軸部材を形成する場合と、上半部の屈撓性と弾性の大きいコイルスプリングの下部に屈撓性と弾性の小さいコイルスプリングを連結して軸部材とする場合が好ましく、また軸部材内にその長さより長い連結用吊糸を挿通して複数のいか釣針を順次釣糸に連結するようにして軸部材のコイルスプリングが所定の長さ以上に伸長しないように規制して所定数のいか釣針を直列に連結できると共にこの軸部材の上半部に主として複数の擬餌体と必要に応じて予備的釣針を嵌着すると共に下半部に複数の釣針を嵌装していか釣針を形成のが好適である。
【０００６】
しかして前記軸部材の上半部と下半部の長さ、夫々の屈撓度、弾性度、いか釣針の使用個数等は使用水深、潮流、いかの種類等によって適宜増減調節するものである。
【０００７】
本発明のいか釣針は、いか釣り時のしゃくり操作の揺動作用と連動する軸部材の上部に装着された擬餌体は海中において大きく躍動的に伸縮揺動していかの誘集作用を促進し、また下部に装着された釣針はいかの喰付きによる針の横向き変化を可及的に阻止して釣針にかかったいかの逃逸を防止すると共に釣糸捲上げ時の案内ローラ部分においては釣針にかかったいかの脱離を防止してその釣獲率を向上するようにしたものである。
【０００８】
【発明の実施の形態】
本発明の実施の形態を図面の実施例について説明すると、釣糸１の下端に着脱自在に連結されたコイルスプリング２の略下半部には小径のコイルスプリング３が内装重合され、上半部の屈撓性と弾性は大きく、下半部は上半部より屈撓性と弾性の小さい軸部材４が構成されると共に該軸部材４の上部外側部には擬餌体５・５が下部のスプリング重合部外側には倒傘状の釣針６・６が夫々移動可能に嵌装され、下側の釣針６の下部には係止鍔７及びスプリング２・３に係止された係止リング８が連結され、更に釣糸１に連結された連結用吊糸９は軸部材４より長さが長く形成されて下方に延設され、その下方に順次連結されるいか釣針の釣糸１に接続具９′で連結されるものであり、最下部のいか釣針の接続具９′は図の如く錘１０を有する重錘取付糸１０′に取付けられている。
【０００９】
本発明の実施例は上記のように構成されているので、このいか釣針を釣糸１及び連結用吊糸９を介して一乃至複数個連結し、釣糸１によってしゃくり操作を行うと、いか釣針はその重量と重錘１０により軸部材４のコイルスプリング２・３はしゃくり操作の揺動作用と連動して軸部材４の上半部は大きな伸縮作用で擬餌体を大きく躍動的に揺動していかの視覚を喚起してその誘集効率を向上すると共に軸部材４の下部に装着した釣針はこれに喰付いたいかの側方牽引力によって釣針の向きが横向きになりいかが逃れ易くなって逃逸することを可及的に防止して釣獲率も向上し、また釣糸１を引上げる際においては案内ローラ部分において軸部材４がローラ周面に円滑に馴致してその釣針からのいかの脱落も防止するものである。
【００１０】
図３に示す実施例は、軸部材の変形例であって、上半部の屈撓性と弾性の大きいコイルスプリング２′の下半部に上半部より屈撓性と弾性の小さいコイルスプリング３′を連結して軸部材４を形成し、コイルスプリング２′に擬餌体５を、コイルスプリング３′に釣針６を夫々装着するようにしたものである。なお本発明においては、上半部の擬餌体５装着部分には必要に応じて補助釣針を装着することもできる。
【００１１】
しかして本発明はあかいか等の特に大型いかに対して特に有効であるが、軸部材の上半部及び下半部の夫々の屈撓力、弾性力、擬餌体及び釣針の数等を適宜調節変更することによってその他のいかにも適用することができる。
【００１２】
【発明の効果】
本発明はいか釣りのしゃくり操作によって軸部材の上部に装着されている擬餌体は大きな躍動的伸縮揺動作用に変換せしめられて擬餌体によるいかの視認誘集を喚起増進して釣獲作用を向上することができると共に釣針を装着している下半部の軸部材はいかが喰付いた時の釣針の向きが横向きになっていかが逃逸することを可及的に防止していかをしっかりと釣針にかからしめて釣獲効率を向上することができる。
【００１３】
また本発明のいか釣針は軸部材が釣糸案内ローラ部分において可及的にローラ周面に湾曲馴致し、従来のようないか釣針がこの部分において大きく角張って屈曲することによって折角かかったいかが脱落することもなく、いかの船内漁獲収容作業も効率よく行うことができる。
【００１４】
更に本発明のいか釣針は軸部材に対する擬餌体、釣針の装着、取外し等の組立、分解操作が簡易であって擬餌体の種類、数、大きさ、釣針の数等の交換等をいかの種類、その大きさ等に応じて容易に増減変更調節して対応することができる。
【００１５】
また本発明において軸部材内にそれより長さの長い連結用吊糸を介し釣糸と各いか釣針を順次連結可能に形成したことにより、軸部材の所定以上の伸長を規制し所定数のいか釣針を直列に連続して連結することができる。
【図面の簡単な説明】
【図１】本発明の縦断正面図。
【図２】本発明の軸部材の断面図。
【図３】本発明の別実施例の軸部材の正面図。
【符号の説明】
１    釣糸
２・２′  コイルスプリング
３・３′  コイルスプリング
４    軸部材
５    擬餌体
６    釣針
９    連結用吊糸
【図１】
2004357587.tif 000003
【図２】
2004357587.tif 000004
【図３】
2004357587.tif 000005